(57)【要約】【課題】従来技術の問題を克服する、ビデオ信号反転方法、回路装置およびカメラを提供することである。【解決手段】ｎ個のエレメントのシーケンスを有するビデオ信号を反転させる方法であって、以下のステップを含み、すなわち、第１のシーケンスのｎ個のエレメントを、メモリのメモリロケーション内に反転されていない順番で書き込み、当該メモリロケーションを反転された順番で読み出し、後続のステップにおいて、第２のシーケンスのｎ個のエレメントを、メモリロケーション内に反転された順番で書き込み、当該メモリロケーションを反転されていない順番で読み出す、ことを特徴とする、ビデオ信号を反転させる方法。【選択図】図１
2006246484.tif 000002
【特許請求の範囲】
【請求項１】
ｎ個のエレメント（Ｉ１〜Ｉｎ）のシーケンス（Ｓ１〜Ｓ４）を有するビデオ信号を反転させる方法であって、以下のステップを含み、すなわち、
第１のシーケンス（Ｓ１）のｎ個のエレメント（Ｉ１〜Ｉｎ）を、メモリ（２）のメモリロケーション（Ａ１〜Ａｎ）内に反転されていない順番で書き込み、当該メモリロケーション（Ａ１〜Ａｎ）を反転された順番で読み出し、
後続のステップにおいて、
第２のシーケンス（Ｓ２）のｎ個のエレメント（Ｉ１〜Ｉｎ）を、メモリロケーション（Ａ１〜Ａｎ）内に反転された順番で書き込み、当該メモリロケーション（Ａ１〜Ａｎ）を反転されていない順番で読み出す、
ことを特徴とする、ビデオ信号を反転させる方法。
【請求項２】
前記メモリは、ｎ個のエレメント（Ｉ１〜Ｉｎ）に対するメモリ容量を含み、
前記メモリロケーション（Ａ１〜Ａｎ）を前記書き込みロケーションの前のメモリから、例えば前記書き込みロケーションの１ロケーション前または数ロケーション前から読み出す、請求項１記載の方法。
【請求項３】
前記メモリは、ｎ+１個のエレメント（Ｉ１〜Ｉｎ）に対するメモリ容量を含み、
前記第２のシーケンスの前記第１のエレメント（Ｉ１）をｎ+１メモリロケーション内に書き込み、
複数のエレメント（Ｉ１〜Ｉｎ）から成る前記第２のシーケンスの前記第２のエレメント（Ｉ２）をｎメモリロケーション内に書き込む、請求項１記載の方法。
【請求項４】
ｎ個のエレメント（Ｉ１〜Ｉｎ）のシーケンスは水平ラインの画像ピクセルに相当し、
水平スキャン反転の場合には、メモリロケーション（Ａ１〜Ａｎ）内へのｎ個のエレメント（Ｉ１〜Ｉｎ）の書き込みを、ラインの水平ブランキング後に反転させる、請求項１、２または３記載の方法。
【請求項５】
ｎ個のエレメント（Ｉ１〜Ｉｎ）のシーケンスは垂直フィールドまたはフレームの水平ラインに相当し、
垂直スキャン反転の場合には、メモリロケーション（Ａ１〜Ａｎ）内へのｎ個のエレメント（Ｉ１〜Ｉｎ）の書き込みを、フィールドまたは各フレームの垂直ブランキング後に反転させる、請求項１、２または３記載の方法。
【請求項６】
ｎ個のエレメント（Ｉ１〜Ｉｎ）のシーケンスを有するビデオ信号を反転させる方法であって、以下のステップを含み、すなわち、
第１のシーケンス（Ｓ１）のｎ個のエレメント（Ｉ１〜Ｉｎ）を、メモリ（２）のメモリロケーション（Ａ１〜Ａｎ）内に反転されていない順番で書き込み、
当該メモリロケーション（Ａ１〜Ａｎ）を、最後のメモリロケーション（Ａｎ）から始めて、反転された順番で読み出し、前記第１のシーケンス（Ｓ１）の内容を有するｎ個のアウトプットエレメント（Ｏ１〜Ｏｎ）を反転された順番で供給し、
第２のシーケンス（Ｓ２）のｎ個のエレメント（Ｉ１〜Ｉｎ）を、メモリロケーション（Ａ１〜Ａｎ）内に、前記最後のメモリロケーション（Ａｎ）で始めて、反転された順番で書き込み、当該書き込みは各メモリロケーションの読み出しに関して１エレメントの遅れを有しており、
前記第２のシーケンス（Ｓ２）の内容を有する前記メモリロケーション（Ａ１〜Ａｎ）を反転されていない順番で読み出し、当該読み出しを前記第１のメモリロケーション（Ａ１）で開始し、前記第２のシーケンス（Ｓ２）の内容を有するｎ個のアウトプットエレメント（Ｏ１〜Ｏｎ）を反転された順番で供給し、
前記第１のシーケンス（Ｓ２）のｎ個のエレメント（Ｉ１〜Ｉｎ）の書き込みおよび読み出しに相応して、第３のシーケンス（Ｓ３）のｎ個のエレメント（Ｉ１〜Ｉｎ）を前記メモリロケーション（Ａ１〜Ａｎ）内に書き込みおよび読み出し、
前記第２のシーケンス（Ｓ２）のｎ個のエレメント（Ｉ１〜Ｉｎ）の書き込みおよび読み出しに相応して、第４のシーケンス（Ｓ４）のｎ個のエレメント（Ｉ１〜Ｉｎ）を前記メモリロケーション（Ａ１〜Ａｎ）内に書き込みおよび読み出し、以降、これを続ける、
ことを特徴とする、ビデオ信号を反転させる方法。
【請求項７】
入力エレメント（Ｉ１〜Ｉｎ）のシーケンスは水平ラインまたは水平フィールドまたはフレームに相当し、
各ラインまたは各フィールドまたはフレームの後のブランクを、各書き込みロケーションの１メモリロケーション前でエレメントを読み出すために使用する、請求項６記載の方法。
【請求項８】
前記メモリはｎ+１個のメモリロケーション（１〜９）を、各シーケンスのｎ個のエレメント（Ｉ１〜Ｉ８）を格納するために含み、
ｎ個のエレメントの第１のシーケンスを第１のｎ個メモリロケーション（１〜８）内に格納し、次のシーケンスの第１のエレメント（Ｉ１）をメモリロケーションｎ+１（９）内に格納し、前記書き込みロケーションの１エレメント前で前記メモリロケーション（１〜９）の読み出しを行う、請求項６記載の方法。
【請求項９】
マイクロプロセッサ（１）およびメモリ（２）を含む回路装置であって、請求項１から８までのいずれか１項に記載された方法を実行する、
ことを特徴とする回路装置。
【請求項１０】
カメラであって、
レンズユニットと、当該レンズユニットに結合されている光学センサと、請求項９に記載された回路装置を含む、
ことを特徴とするカメラ。
【請求項１１】
前記カメラは、映画用途用に設計されたレンズユニットと結合されたテレビジョン放送カメラであって、
前記回路装置はビデオ出力信号に対する水平スキャン反転を行う、請求項１０記載のカメラ。
【発明の詳細な説明】
【技術分野】
【０００１】
本発明は、ビデオ信号の電子式スキャン反転を行う方法および回路装置に関する。これは殊に専門的なテレビジョンカメラまたはビデオカメラにおいて使用される。
【背景技術】
【０００２】
専門的なテレビジョンカメラでは、シーンイメージから表示ユニットまでの通常のビデオ信号処理チェーンは、以下のエレメントから成る。すなわち：光学レンズユニットと、電子式ピックアップエレメントと、当該ピックアップエレメントと結合されているビデオ処理回路と、表示ユニットから成る。レンズユニットは、放送されるべきシーンを水平および垂直に、反転された順番で、ピックアップエレメント上に投影する。ピックアップエレメントはシーケンシャルに、画像の水平および垂直位置が再び反転され、通常の画像が保持されるように読み出される。ビデオ処理回路は、生データストリームから表示ユニットに使用される信号を生成し、殊に要求されているビデオ規格に相応して出力信号を提供する。
【０００３】
テレビジョンカメラが、元来は映画用途用に設計されたレンズユニットと使用される場合、問題が生じる。映画レンズユニットは、シーンを非反転様式でピックアップエレメント（この場合には一般的に感光フィルム材料）上に投影する。このようなレンズユニットがテレビジョン放送カメラとともに使用される場合、各ピックアップエレメントの出力信号は水平かつ垂直に反転されなければならない。
【０００４】
電子画像を反転させる通常の方法は、２つの電子メモリを使用することである。この電子メモリ内には２つの完全な画像が格納される。連続した画像反転の場合には、第１の画像は第１のメモリ内に格納される。第２の画像は第２のメモリ内に格納され、同時に第１のメモリが反対の順番で読み出され、出力側に送られる。第２の画像が第２のメモリ内に格納されると、その後第１のメモリが第３の画像用に使用可能になる。第３の画像はその後第１のメモリ内に格納され、同時に第２のメモリが反対の順番で読み出される。これは後続の画像に対しても続く。この結果、ビデオ信号に対する連続的な画像反転が行われる。専門的なカメラはビデオ信号を高い解像度で生成するので、この種の方法には非常に大きいメモリが必要とされる。
【０００５】
水平スキャン反転方法および各回路は、例えばＫＲ９５０７０３４、ＪＰ０２２６０８７７，ＣＡ２１２７６０８，ＪＰ２１５８４３６およびＪＰ６３０１９９９５から公知である。
【特許文献１】ＫＲ９５０７０３４号明細書
【特許文献２】ＪＰ０２２６０８７７号明細書
【特許文献３】ＣＡ２１２７６０８号明細書
【特許文献４】ＪＰ２１５８４３６号明細書
【特許文献５】ＪＰ６３０１９９９５号明細書
【発明の開示】
【発明が解決しようとする課題】
【０００６】
本発明の課題は、従来技術の問題を克服する、ビデオ信号反転方法、回路装置およびカメラを提供することである。
【課題を解決するための手段】
【０００７】
上述の課題は、ｎ個のエレメントのシーケンスを有するビデオ信号を反転させる方法であって、以下のステップを含み、すなわち、第１のシーケンスのｎ個のエレメントを、メモリのメモリロケーション内に反転されていない順番で書き込み、当該メモリロケーションを反転された順番で読み出し、後続のステップにおいて、第２のシーケンスのｎ個のエレメントを、メモリロケーション内に反転された順番で書き込み、当該メモリロケーションを反転されていない順番で読み出す、ことを特徴とする、ビデオ信号を反転させる方法によって解決される。さらに上述の課題は、ｎ個のエレメントのシーケンスを有するビデオ信号を反転させる方法であって、以下のステップを含み、すなわち、第１のシーケンスのｎ個のエレメントを、メモリのメモリロケーション内に反転されていない順番で書き込み、当該メモリロケーションを、最後のメモリロケーションから始めて、反転された順番で読み出し、前記第１のシーケンスの内容を有するｎ個のアウトプットエレメントを反転された順番で供給し、第２のシーケンスのｎ個のエレメントを、メモリロケーション内に、前記最後のメモリロケーションで始めて、反転された順番で書き込み、当該書き込みは各メモリロケーションの読み出しに関して１エレメントの遅れを有しており、前記第２のシーケンスの内容を有する前記メモリロケーションを反転されていない順番で読み出し、当該読み出しを前記第１のメモリロケーションで開始し、前記第２のシーケンスの内容を有するｎ個のアウトプットエレメントを反転された順番で供給し、前記第１のシーケンスのｎ個のエレメントの書き込みおよび読み出しに相応して、第３のシーケンスのｎ個のエレメントを前記メモリロケーション内に書き込みおよび読み出し、前記第２のシーケンスのｎ個のエレメントの書き込みおよび読み出しに相応して、第４のシーケンスのｎ個のエレメントを前記メモリロケーション内に書き込みおよび読み出し、以降、これを続ける、ことを特徴とする、ビデオ信号を反転させる方法によって解決される。また上述の課題は、マイクロプロセッサおよびメモリを含む回路装置であって、上述の方法を実行する、ことを特徴とする回路装置によって解決される。また上述の課題は、レンズユニットと、当該レンズユニットに結合されている光学センサと、上述の回路装置を含む、ことを特徴とするカメラによって解決される。
【発明を実施するための最良の形態】
【０００８】
ｎ個のエレメントのシーケンスを有するビデオ信号を反転させる方法は、第１のシーケンスのｎ個のエレメントを反転されていない順番でメモリのメモリロケーション内に書き込み、このメモリロケーションを反転された順番で読み出すステップを含み、後続のステップにおいて、第２のシーケンスのエレメントを反転された順番でメモリロケーション内に書き込み、このメモリロケーションを反転されていない順番で読み出す。これらのメモリロケーションは、殊にメモリの書き込みロケーション前のメモリから、例えば書き込みロケーションの１ロケーションまたは数ロケーション前から読み出される。従って電子式スキャン反転のためのメモリ容量が低減される。
【０００９】
第１の実施例では、メモリはｎ+１個のメモリロケーションを含む。このメモリロケーション内にはそれぞれ１つのエレメントが格納可能であり、複数のエレメントの第１のシーケンスがメモリロケーション１−ｎ内に格納されると、次のシーケンスの第１のエレメントがメモリロケーションｎ+１内に書き込まれる。次のシーケンスの後続のエレメントは、メモリロケーションｎ，ｎ−１，ｎ−２等内に書き込まれる。従って、この実施形態の場合には、ｎ個エレメントから成るシーケンスを有するビデオ信号に対して、ｎ+１個のメモリロケーションから成るメモリで充分である。
【００１０】
第２の実施形態では、このメモリはｎ個メモリロケーションのメモリ容量を含み、各シーケンスの後の１つのブレークは電子式スキャン反転に使用される。ｎ個のエレメントから成るシーケンスがｎ個のメモリロケーション内に格納された後、最後のメモリロケーションがこのブレークの間に読み出される。次のシーケンスの第１のエレメントが到着すると、このエレメントは最後のメモリロケーションｎ内に格納され、後続のエレメントＩ２，Ｉ３・・・はメモリロケーションＡｎ−１，Ａｎ−２、・・・内に格納される。従ってメモリロケーションは常にメモリの書き込みロケーションの１エレメント前で読み出される。従ってこの実施形態の場合には、ｎ個のメモリロケーションを有するメモリ容量は、ｎ個のエレメントのシーケンスを有する電子スキャン反転に対して充分である。エレメントの各シーケンスの後のブレークは例えば、水平ラインの後の水平のフライバックインターバルまたは垂直フィールドまたはピクチャーフレームの後の垂直フライバックインターバルである。
【００１１】
電子式スキャン反転は、読み出しおよびメモリのメモリロケーション内への書き込みのためのマイクロプロセッサを含む回路装置によるデジタル領域において行われる。この種の回路装置は、殊に、映画用に設計されたレンズユニットを有するテレビジョンカメラ内でまたは専門的なスタジオ装置内で使用される。
【００１２】
本発明の有利な実施形態を以下で概略的な図面に関連してより詳細に説明する。
【実施例】
【００１３】
図１には、メモリによるビデオ信号の電子式スキャン反転をあらわすためにテーブルが示されている。ビデオ信号は、ｎ個のエレメントＩ１−Ｉｎを有するシーケンスＳ１，Ｓ２・・・を含む。それそれぞれにおいて、これらのエレメントは例えば水平ラインまたはピクチャーエレメントに相応する。これらのシーケンスはそれぞれ同じフォーマットを有する同じ数のエレメントを含み、これは例えばデジタル化されたアナログビデオ信号、すなわちＰＡＬ規格に相応するＣＶＢＳビデオ信号に相応する。このメモリは、ｎ個のメモリロケーションＡ１〜Ａｎを含む。各メモリロケーション内にはエレメントＩ１〜Ｉｎのそれぞれ１つが格納可能である。このメモリは、同時に１つのメモリロケーション内に書き込まれ、かつ他のメモリロケーションから読み出されるように配置される。
【００１４】
テーブルの第１欄にはビデオ信号の入力シーケンスＳ１〜Ｓ４が示されている。これらのシーケンスはそれぞれｎ個のエレメントＩ１〜Ｉｎを含む。シーケンスＳ１のｎ個のエレメントＩ１〜ＩｎはメモリのメモリロケーションＡ１〜Ａｎ内に反転されていない順番で書き込まれ、メモリロケーションＡ１〜Ａｎから反転された順番で読み出される。次に後続のステップにおいて、シーケンスＳ２のエレメントＩ１〜ＩｎがメモリのメモリロケーションＡ１〜Ａｎ内に反転された順番で書き込まれ、メモリロケーションＡ１〜Ａｎから反転されていない順番で読み出される。これによって、シーケンスＳ１，Ｓ２および相応に後続のシーケンスのエレメントに対する電子式スキャン反転が行われる。これを以下で詳細に説明する。
【００１５】
ビデオ信号のビジュアルコンテンツは、インターレース式ピクチャーの場合には、各水平ラインまた各垂直フィールドの後にも周期的なブレークを含む、または進歩的なディスプレイの場合には各フレームの後に周期的なブレークを含むことが知られている。このブレークは殊に、陰極線管内の偏向をフライバックするための充分な時間を与えるために設けられている。このブレークを用いることによって、ｎ個のロケーションを有するメモリが、ｎ個のエレメントから成るシーケンスを伴うビデオ信号をスキャン反転するのに充分になる。
【００１６】
第１のステップでは、このビデオ信号の第１のシーケンスＳ１のエレメントＩ１〜Ｉｎが、メモリロケーションＡ１〜Ａｎ内に書き込まれる。これはテーブルの欄２内に示されている。その後、入力エレメントＩｎがメモリロケーションＡｎ内に格納された後、ブレークが生じる。このブレークの間、メモリロケーションＡｎは出力エレメントＯ１を供給するために読み出される。これはテーブルの欄３および４内に示されている。この出力エレメントＯ１は、第１のシーケンスＳ１の最後のエレメントＩｎに相応する値を供給する。これは欄５内に示されている。
【００１７】
ブレークの後、第２のシーケンスＳ２の第１のエレメントＩ１が到着する。これはその後、メモリロケーションＡｎ内に格納される。このエレメントＩ１が格納されたのと同じときに、メモリロケーションＡｎ−１が読み出される。これによって、第１のシーケンスＳ１の値Ｉｎ−１を有する第２の出力エレメントＯ２が供給される。従って第２のシーケンスＳ２のエレメントＩ１がメモリロケーションＡｎ内に書き込まれるときに、メモリケーションＡｎ−１が次の書き込みオペレーションに対して使用可能であり、このメモリロケーション内にその後、第２のシーケンスＳ２の第２のエレメントＩ２が格納される。このエレメントがメモリロケーションＡｎ−１内に書き込まれるのと同時に、メモリロケーションＡｎ２が読み出され、シーケンスＳ１の値ＩＮ−２を有する出力エレメントＯ３が供給される。このプロシージャは、シーケンスＳ２の後続のエレメントＩ３−Ｉｎに対しても行われる。さらにシーケンスＳ２が完全にメモリロケーションＡｎ−Ａ１内に書き込まれたときに、第１のシーケンスＳ１はアウトプットエレメントＯ１〜Ｏｎを介して出力される。これは反転された順番でエレメントＩｎ〜Ｉ１を伴う。
【００１８】
相応するプロシージャが、入力エレメントＩ１〜Ｉｎを有している第３のシーケンスＳ３に対して行われる。シーケンスＳ２とＳ３の間のブレークの間、メモリロケーションＡ１が読み出され、第２のシーケンスＳ２の値Ｉｎを有する出力エレメントＯ１が供給される。シーケンスＳ３の第１のエレメントＩ１が到着すると、このエレメントはその後、メモリロケーションＡ１内に格納される。同時に、メモリエレメントＡ２が読み出され、シーケンスＳ２のコンテンツＩｎ−１を有する出力エレメントＯ２が供給される。次のステップでは、シーケンスＳ３の入力エレメントＩ２がメモリロケーションＡ２内に書き込まれ、同時にメモリロケーションＡ３が読み出され、シーケンスＳ２のエレメントＩｎ−２が供給される。
【００１９】
このプロシージャは、第３のシーケンスＳ３の最後のエレメントがメモリロケーションＡｎ内に書き込まれるまで続けられる。この時に、入力エレメントＩ１〜Ｉｎを有する第２のシーケンスＳ２は反対の順番で出力されている。
【００２０】
次のシーケンスＳ４とビデオ信号のさらなるシーケンスもこのようにして処理され、各シーケンスのエレメントが反転される。シーケンスＳ４の第１のエレメントＩ１はメモリロケーションＡｎ内に格納され、このようにして続く。これは第２のシーケンスのステップと相応する。従って、次のような方法を用い、複数のエレメントから成る各シーケンス間のブレークを用いることによって、ｎ個のメモリロケーションを有するメモリは、各ビデオ信号に対するスキャン反転を行うのに充分なものとなる。すなわち、シーケンスのｎ個のエレメントをメモリのメモリロケーション内に反転されていない順番で書き込み、このメモリロケーションを反転された順番で読み出し、次のシーケンスのエレメントをメモリロケーション内に反転された順番で書き込み、このメモリロケーションを反転されていない順番で読み出す方法を用いる。
【００２１】
各エレメントは例えば水平ラインに相当し、各シーケンスはビデオ信号のフレームに相当する。この場合には、各メモリロケーションＡ１〜Ａｎは、水平ラインの内容を格納するためのメモリキャパシティを有している。図１の表に関連して説明された電子式スキャン反転によって、この場合には、逆さま表示を伴う画像の垂直反転が行われる。
【００２２】
別の実施例では、各シーケンスS１〜Sｎは水平ラインに相当し、エレメントI１〜Iｎは、各ラインのデジタルピクセル値をあらわす。この場合には、電子式スキャン反転によって画像の鏡像が得られる。
【００２３】
メモリーオペレーションは殊にマイクロプロセッサ１によって行われる。これはメモリ２とともに作動する。このメモリにはマイクロプロセッサ１が結合されている。これは図２に示されている。図２の回路装置はさらにアナログデジタル変換器３（ＡＤＣ）とデジタルアナログ変換器４（ＤＡＣ）を含む。これによって電子式スキャン反転が得られる。
【００２４】
図示された実施例のように、ＣＶＢＳビデオ信号はＡＤＣ２の入力側に加えられる。これによって、アナログビデオ信号がデジタル化される。ＡＤＣ２のデジタルデータストリームはプロセッサ１に結合される。プロセッサはデータの読み出しおよび書き込みオペレーションをメモリ２を使用して行う。ここでは図１に関連して説明された方法または以下で図３に関連して説明する方法が使用される。メモリ２からマイクロプロセッサ１によって受信された出力データはＤＡＣ４へ転送される。ＤＡＣは、電子式スキャン反転を伴うアナログビデオ信号ＯＵＴ、この実施例では反転されたＣＶＢＳ信号を供給する。
【００２５】
ビデオ信号の垂直スキャン反転を以下で図３に関連して、簡易化されたビデオ信号を使用して説明する。図３ａ〜３ｅの第１の画像に示されているようにこのビデオ信号は、各エレメントとしての８つの水平ラインＩ１〜Ｉ８から成るシーケンスを伴うフレームを有する。この水平ラインは、画像内容を有するそれぞれ１０個のピクセルを有する。このビデオインプット信号の第１のフレームは図３ａの第１の画像に示されており、数字「１」をあらわしている。
【００２６】
この実施例では、図３の第２欄に示されているように、メモリは９個のメモリロケーションＡ１〜Ａ９を有している。各メモリロケーションはビデオインプット信号の１つの水平ラインのピクセル１〜１０を格納するための容量を有している。図３の第１欄では、フレーム１〜３を有するこのビデオインプット信号が示されており、図３の第３欄では、各ビデオアウトプット信号が示されている。ビデオインプット信号のフレーム１，２および３は、画像内容として、非反転表示で数字を有している。この数字「１」、「２」および３は第１欄に示されている。
【００２７】
図３ａに示されているように、垂直スキャン反転を行うために第１のフレームのラインＩ１〜Ｉ８は第１のステップにおいて、メモリのメモリロケーションＡ１〜Ａ８内に、反転されていない順番で格納される。図３ｂに示されているように、ビデオ信号のフレーム２は数字「２」をあらわしている。フレーム２の第１のラインＩ１が到着すると、このラインはメモリのメモリロケーションＡ９内に格納される。この間にメモリロケーションＡ８が読み出され、出力信号として、フレーム１の最後のライン８が供給される。これは時３ｂ内の最後の欄に示されている。
【００２８】
従ってメモリロケーションＡ８は次のストレージオペレーションに使用可能である。次のステップにおいて、フレーム２のラインＩ２がメモリロケーションＡ８内に格納され、同時にメモリロケーションＡ７が読み出されて、出力信号としてフレーム１のライン７が供給される。これは図３ｃ内に示されている。次のステップでは、フレーム２のラインＩ２がメモリロケーションＡ８内に格納され、同時にメモリロケーションＡ７が読み出されて、出力信号としてフレーム１のライン７が供給される。これは図３ｃに示されている。次のステップでは、フレーム２のラインＩ３、Ｉ４・・・Ｉ８がメモリのメモリロケーションＡ７、Ａ６・・・Ａ２内に格納され、同時にメモリロケーションＡ６、Ａ５・・・Ａ１が読み出されて出力ビデオ信号として、ラインＩ１〜Ｉ８を伴う第１のフレームが供給される。これはビデオインプット信号のフレーム１の水平ラインを垂直に反転された順番で含む。これは図３ｃの第３欄内に示されている。
【００２９】
数字「３」を有するインプットビデオ信号のフレーム３が図３ｄの第１欄に示されている。フレーム３のラインＩ１は、次のステップにおいてメモリ内のメモリロケーションＡ１内に格納され、同時にメモリロケーションＡ２が読み出され、ビデオ出力信号のフレーム２の第１の水平ラインが供給される。これは図３ｄの第３欄内に示されている。
【００３０】
その後、フレーム３の後続するラインＩ２〜Ｉ８は、メモリロケーションＡ２〜Ａ８内に格納され（図３ｅ）、同時にメモリロケーションＡ３〜Ａ９が書き込みオペレーションの前に読み出される。これによって、ビデオアウトプット信号のフレーム２が供給される。これはビデオインプット信号のフレーム２の垂直に反転された内容を有している。これは図３ｅの第３欄内に示されている。従ってフレーム３がメモリ内に格納されたとき、ビデオアウトプット信号のフレーム２が得られる。従って、インプット信号のフレーム３に対するメモリーオペレーションは、フレーム１のメモリーオペレーションに相当する。これは図３ａおよび３ｂに関連して示されている。
【００３１】
ビデオ入力信号のフレーム４は、フレーム２と同じ方法で処理され、後続のフレームは相応に処理される。見て分かるように、フレームの水平ラインはメモリ内に、交互に、反転されない順番でおよび反転された順番で格納され、読み出しオペレーションが相応に反転された順番および反転されない順番で行われる。
【００３２】
各シーケンス後に、ブレーク、例えばラインの終端での水平ブランキングまたはフィールドまたはフレームの垂直ブランキングを使用する場合、書き込みロケーションの前のメモリロケーション、例えば書き込みロケーションの１ロケーション前または数ロケーション前が読み出される場合、１つのシーケンスを格納する容量を有しているメモリで充分である。この方法は殊に、ＣＶＢＳビデオ信号、コンポーネント信号または所与のテレビジョン規格に相応したＲＧＢ信号に用いられる。
【００３３】
図２に示された回路装置は殊に、テレビジョン放送カメラ内で使用される。このテレビジョン放送カメラはレンズユニットと、このレンズユニットと結合されている光学センサを含む。これは元来、映画用途用に設計されている。従ってこの回路装置によって、垂直および／または水平スキャン反転が行われる。これによって、所望のテレビジョン規格に相応する正しい画像表示を有するカメラアウトプット信号が供給される。この種のカメラ装置は、ポストプロダクションまたはトリック効果を得るために専門的なスタジオ装置用にも使用される。しかし、本発明の範囲から逸脱することなく、他の用途も当業者に可能である。
【図面の簡単な説明】
【００３４】
【図１】メモリを用いた電子式スキャン反転を行うためのインプットおよびアウトプットオペレーションを伴うテーブル。
【図２】電子式スキャン反転を行うためのメモリを含む回路装置。
【図３ａ】垂直スキャン反転を示す画像フレーム。
【図３ｂ】垂直スキャン反転を示す画像フレーム。
【図３ｃ】垂直スキャン反転を示す画像フレーム。
【図３ｄ】垂直スキャン反転を示す画像フレーム。
【図３ｅ】垂直スキャン反転を示す画像フレーム。
【図１】
2006246484.tif 000003
【図２】
2006246484.tif 000004
【図３ａ】
2006246484.tif 000005
【図３ｂ】
2006246484.tif 000006
【図３ｃ】
2006246484.tif 000007
【図３ｄ】
2006246484.tif 000008
【図３ｅ】
2006246484.tif 000009